(57)【特許請求の範囲】
【請求項１】
イーサネット（登録商標）ＯＡＭ機能を使用してネットワーク機器の保守・運用・管理を行う通信システムにおいて、ネットワークの管理装置と直接通信が可能な第１のネットワーク機器が、当該管理装置と直接通信が不可能な第２のネットワーク機器の設定を当該管理装置に代わって行う場合のネットワーク機器設定方法であって、
前記第１のネットワーク機器が、前記管理装置から取得した前記第２のネットワーク機器の設定情報を含んだイーサネット（登録商標）ＯＡＭフレームを生成し、そのＭＥＧレベルを最低レベルに設定して送信するＯＡＭフレーム送信ステップと、
前記第２のネットワーク機器が、ＭＥＧレベルが最低レベルのイーサネット（登録商標）ＯＡＭフレームを受信した場合それを終端し、当該受信したフレームに含まれている設定情報に従い自装置の設定を行うＯＡＭフレーム受信ステップと、
を含むことを特徴とするネットワーク機器設定方法。
【請求項２】
前記ＯＡＭフレーム送信ステップでは、前記生成したイーサネット（登録商標）ＯＡＭフレームに、さらに前記第２のネットワーク機器との間で予め決定しておいた独自コードを含めて送信し、
前記ＯＡＭフレーム受信ステップでは、前記受信したフレームが前記第１のネットワーク機器との間で予め決定しておいた独自コードを含んでいる場合に、当該受信したフレームの終端と自装置の設定を行うことを特徴とする請求項１に記載のネットワーク機器設定方法。
【請求項３】
前記独自コードを、イーサネット（登録商標）ＯＡＭフレーム内のＯｐＣｏｄｅと、ＯＵＩおよびＳｕｂＯｐＣｏｄｅの少なくとも一方と、を利用して送信することを特徴とする請求項２に記載のネットワーク機器設定方法。
【請求項４】
前記設定情報を、前記第２のネットワーク機器を監視区間の終端点であるＭＥＰに設定するための情報とすることを特徴とする請求項１、２または３に記載のネットワーク機器設定方法。
【請求項５】
前記第１のネットワーク機器が、前記第２のネットワーク機器のＭＥＰ設定解除を指示する解除指示情報を前記管理装置から取得した場合、当該解除指示情報を含んだイーサネット（登録商標）ＯＡＭフレームを生成し、そのＭＥＧレベルを前記第２のネットワーク機器のＭＥＰ設定状態に対応するレベルに設定して送信する設定解除用ＯＡＭフレーム送信ステップと、
前記第２のネットワーク機器が、前記解除指示情報を含み、かつ自身のＭＥＰ設定状態に対応したＭＥＧレベルのイーサネット（登録商標）ＯＡＭフレームを受信した場合それを終端し、自装置のＭＥＰ設定を解除する設定解除用ＯＡＭフレーム受信ステップと、
をさらに含むことを特徴とする請求項４に記載のネットワーク機器設定方法。
【請求項６】
前記第１のネットワーク機器が、前記第２のネットワーク機器のＭＥＰ設定解除を指示する解除指示情報を前記管理装置から取得した場合、当該解除指示情報を含んだイーサネット（登録商標）ＯＡＭフレームを生成し、そのＭＥＧレベルを最低レベルに設定して送信する設定解除用ＯＡＭフレーム送信ステップと、
前記第２のネットワーク機器が、前記解除指示情報、および前記第１のネットワーク機器との間で予め決定しておいた独自コードを含み、かつＭＥＧレベルが最低レベルのイーサネット（登録商標）ＯＡＭフレームを受信した場合それを終端し、自装置のＭＥＰ設定を解除する設定解除ステップと、
をさらに含むことを特徴とする請求項４に記載のネットワーク機器設定方法。
【請求項７】
前記独自コードを、イーサネット（登録商標）ＯＡＭフレーム内のＯｐＣｏｄｅと、ＯＵＩおよびＳｕｂＯｐＣｏｄｅの少なくとも一方と、を利用して送信することを特徴とする請求項６に記載のネットワーク機器設定方法。
【発明の詳細な説明】
【技術分野】
【０００１】
本発明は、イーサネット（登録商標）ＯＡＭ機能を用いて保守運用管理を行うイーサネット（登録商標）通信システムにおいて、イーサネット（登録商標）ＯＡＭ機能に関する設定をネットワーク機器に対して行う場合のネットワーク機器設定方法に関する。
【背景技術】
【０００２】
イーサネット（登録商標）における保守運用管理のために使用されるイーサネット（登録商標）ＯＡＭ（Operation  Administration  and  Maintenance）がＩＴＵ−Ｔ  Ｙ.１７３１及びＩＥＥＥ  ８０２．１ａｇで規定されている。イーサネット（登録商標）ＯＡＭでは監視区間をＭＥ（Maintenance  Entity）と呼び、このＭＥはＭＥＧ（Maintenance  Entity  Group）レベル毎に設定可能である。ＭＥＧレベルとしては０〜７の８つの監視レベルが規定されている。また、監視区間（ＭＥ）の両端には終端点であるＭＥＰ（Maintenance  entity  group  End  Point）を設定する必要がある。図８にＭＥとＭＥＰの設定例を示す。図８に示すように装置間でＭＥ（監視区間）を設定し、監視区間の両端に下向き黒三角形で示されたＭＥＰ（終端点）が設定される。また、ＭＥとＭＥＰはＭＥＧレベルを属性として持ち、図８に示すように下位のＭＥＧレベルのＭＥが上位のＭＥＧレベルのＭＥをまたがらないように規定されている。従って、イーサネット（登録商標）ＯＡＭ機能により保守運用管理を行う場合には、事前に、ＭＥＰを設定する装置を選択し、選択した装置にＭＥＰを設定する必要がある。
【０００３】
また、イーサネット（登録商標）ＯＡＭフレームのＰＤＵ（Protocol  Data  Unit）は、図９に示した構成となっており、ＭＥＬ（MEG  Level），Ｖｅｒｓｉｏｎ，ＯｐＣｏｄｅ（Operation  Code），Flags，ＴＶＬ（Type，Length，Value）のフィールドを含むように規定されている。そのため、ＭＥＰに設定された装置においてイーサネット（登録商標）ＯＡＭフレームを生成する場合には、自装置に設定されているＭＥＧレベルをそのフィールド（ＭＥＬ）に挿入する。
【０００４】
図１０は、ＭＥＰを設定された装置がイーサネット（登録商標）ＯＡＭフレームを受信した場合の動作を示す図である。図１０に示したように、ＭＥＰを設定された装置は、自装置に設定されたＭＥＧレベルと同一のイーサネット（登録商標）ＯＡＭフレーム（ＭＥＬフィールドの値が自装置に設定されているＭＥＧレベルと同一のイーサネット（登録商標）ＯＡＭフレーム）を受信すると、そのフレームを終端し（取り込み）、フレームの内容に応じて処理を行う。一方、設定されたＭＥＧレベルより高いＭＥＬフィールド値のイーサネット（登録商標）ＯＡＭフレームは、その装置（ＭＥＰ）で処理すべきものではないため透過させる。また、ＭＥＰを設定されていない装置は、全てのイーサネット（登録商標）ＯＡＭフレームを透過させる（たとえば、下記特許文献１参照）。
【０００５】
一方、遠隔にある装置を認識し、その装置の設定を行う方法としては、例えばＰＯＮ（Passive  Optical  Network）システムにおいて局舎側にあるＯＬＴ（Optical  Line  Terminal）がユーザ側にあるＯＮＵ（Optical  Network  Unit）を登録する方法が存在する。このＰＯＮシステムにおけるＯＮＵの登録方法はＩＥＥＥ  ８０２．３ａｈで規定されており、ＰＯＮ特有のＯＡＭフレームを送受信することでＯＮＵの登録を行う。ここで、ＯＮＵの登録を行う際に使用するＯＡＭフレームは、イーサネット（登録商標）ＯＡＭフレームとは異なるものであり、ＭＥＧレベルは含まれない。そのため、図１１に示すように、ＯＬＴで生成送信されたＯＡＭフレームはＯＮＵで必ず終端される（取り込まれる）。これは、ＯＬＴの制御対象装置が隣接するＯＮＵだけのためである。
【０００６】
【特許文献１】特開２００８−２８８０１号公報
【発明の開示】
【発明が解決しようとする課題】
【０００７】
イーサネット（登録商標）ＯＡＭ機能を使用して保守運用管理を行うためには、ネットワークを構成する機器の中の２つの機器を選定し、それらにＭＥＰを設定する必要がある。たとえば、図１２に示すように、管理装置と通信装置が同一場所にある場合には、ＭＥＰを設定する通信装置に対して例えば個別線により直接パラメータを設定することができるが、ＭＥＰを設定する通信装置が遠隔にある場合には、管理装置から直接パラメータを設定することができないため、イーサネット（登録商標）の伝送路を介してイーサネット（登録商標）フレームによりパラメータ情報を転送する必要がある。
【０００８】
ここで、上述したように、イーサネット（登録商標）ＯＡＭ機能にはＭＥＧレベルという概念が存在し、ネットワーク機器は、ＭＥＧレベルを使用してイーサネット（登録商標）ＯＡＭフレームを終端させるかどうかを判断するため、ＭＥＰが設定されていないネットワーク機器では、イーサネット（登録商標）ＯＡＭフレームをすべて透過させてしまう。従って、ＭＥＰに設定されていないネットワーク機器に対してイーサネット（登録商標）ＯＡＭフレームを送信し、新たにＭＥＰを設定することができない、すなわち、遠隔のネットワーク機器にＭＥＰを設定する際にイーサネット（登録商標）ＯＡＭフレームを利用できない、という問題があった。
【０００９】
これに対して、上述したＰＯＮシステムでは、ＩＥＥＥ  ８０２．３ａｈで規定された、ＯＮＵで必ず終端するＯＡＭフレームを使用することにより、イーサネット（登録商標）の伝送路を介した遠隔装置（ＯＮＵ）の設定を実現している。そのため、ＰＯＮシステムで使用しているＯＡＭフレームと同様のフレームを使用すればイーサネット（登録商標）の伝送路を介してパラメータ情報（遠隔の機器にＭＥＰを設定するための情報）が転送できるようになる。しかしながら、このＯＡＭフレームをＭＥＰの設定に使用した場合、ＭＥＰを設定する際に使用するＯＡＭフレームとＭＥＰを設定した後に使用するイーサネット（登録商標）ＯＡＭフレームの２種類を処理する必要があり、制御が複雑になってしまう、という別の問題が発生する。
【００１０】
本発明は、上記に鑑みてなされたものであって、イーサネット（登録商標）ＯＡＭ機能を実行するために必要なＭＥＰの設定をイーサネット（登録商標）ＯＡＭ機能で使用するイーサネット（登録商標）ＯＡＭフレームを利用して行うネットワーク機器設定方法を得ることを目的とする。
【課題を解決するための手段】
【００１１】
上述した課題を解決し、目的を達成するために、本発明は、イーサネット（登録商標）ＯＡＭ機能を使用してネットワーク機器の保守・運用・管理を行う通信システムにおいて、ネットワークの管理装置と直接通信が可能な第１のネットワーク機器が、当該管理装置と直接通信が不可能な第２のネットワーク機器の設定を当該管理装置に代わって行う場合のネットワーク機器設定方法であって、前記第１のネットワーク機器が、前記管理装置から取得した前記第２のネットワーク機器の設定情報を含んだイーサネット（登録商標）ＯＡＭフレームを生成し、そのＭＥＧレベルを最低レベルに設定して送信するＯＡＭフレーム送信ステップと、前記第２のネットワーク機器が、ＭＥＧレベルが最低レベルのイーサネット（登録商標）ＯＡＭフレームを受信した場合それを終端し、当該受信したフレームに含まれている設定情報に従い自装置の設定を行うＯＡＭフレーム受信ステップと、を含むことを特徴とする。
【発明の効果】
【００１２】
この発明によれば、イーサネット（登録商標）ＯＡＭフレームを利用してネットワーク機器の設定を行うことができる、という効果を奏する。
【発明を実施するための最良の形態】
【００１３】
以下に、本発明にかかるネットワーク機器設定方法の実施の形態を図面に基づいて詳細に説明する。なお、この実施の形態によりこの発明が限定されるものではない。
【００１４】
実施の形態１．
図１は、本発明にかかるネットワーク機器設定方法を適用する通信システムの実施の形態１の構成例を示す図である。この通信システムは、管理装置１とネットワーク機器である通信装置２Ａおよび２Ｂとを備え、通信装置２Ａおよび２Ｂは伝送路３を介して接続されている。なお、管理装置１は通信装置２Ａと接続され、通信装置２Ａの設定を直接行うことはできるが、通信装置２Ｂの設定を直接行うことはできないものとする。
【００１５】
管理装置１は、通信装置２Ａおよび２Ｂの設定を変更する機能を有する。ただし、通信装置２Ｂの設定を行う場合、通信装置２Ａを介して行う。また、イーサネット（登録商標）ＯＡＭ機能により通信装置２Ａおよび２Ｂを監視する機能を有し、通信装置２Ａおよび２Ｂを構成要素として含んだネットワークの監視（保守・運用・管理）を行う。
【００１６】
通信装置２Ａは、管理装置１からの指示に従い内部設定を変更し、設定内容に従った動作を行う。また、ＯＡＭフレーム生成部４を備え、他の通信装置（通信装置２Ｂ，図示していないその他の通信装置）に設定する情報を管理装置１から受け取った場合、受け取った情報を含んだイーサネット（登録商標）ＯＡＭフレーム（以下、単に「ＯＡＭフレーム」と記載する）１０をＯＡＭフレーム生成部４で生成し、伝送路３へ出力（送信）する。
【００１７】
通信装置２Ｂは、ＯＡＭフレーム終端部５を備え、ＯＡＭフレーム１０を受信した場合、それを終端させるかどうかをＯＡＭフレーム終端部５で判定し、終端させる場合、その内容に従った動作を実行する。
【００１８】
つづいて、図２−１〜図２−３を参照しながら、管理装置１が通信装置２Ａを介して、通信装置２Ａ以外の通信装置にＭＥＰを設定する動作，ＭＥＰを設定されている通信装置をＭＥＰを設定されていない状態に戻す（ＭＥＰ設定を解除する）動作について説明する。ここでは、一例として、通信装置２ＢにＭＥＰを設定する動作および通信装置２ＢのＭＥＰ設定を解除する動作について説明する。
【００１９】
ＭＥＰを設定されていない状態の通信装置２ＢにＭＥＰを設定する場合、管理装置１は、ＭＥＧレベル情報を含んだＭＥＰ設定情報を通信装置２Ａに出力するとともに通信装置２ＢにＭＥＰを設定するように通信装置２Ａに指示を出す。
【００２０】
管理装置１からＭＥＰ設定情報および指示を受け取った通信装置２Ａでは、ＯＡＭフレーム生成部４が、受け取ったＭＥＰ設定情報を含み、かつＭＥＧレベルを最低レベル（ＭＥＧレベル＝０）に設定したＯＡＭフレーム１１を生成し、送信する（図２−１参照）。
【００２１】
通信装置２ＢはＭＥＰを設定されていないため、本来であればＯＡＭフレームは全て透過させるが、本実施の形態ではＭＥＰが設定されていない場合に、ＭＥＧレベル＝０のＯＡＭフレームを受信した場合は必ず終端することとする。そして、受信したＯＡＭフレームに含まれているＭＥＰ設定情報に基づいて、内部設定を変更し、以降、設定されたＭＥＰのイーサネット（登録商標）ＯＡＭの処理を行う。
【００２２】
通信装置２Ｂは、ＭＥＰを設定されて動作している場合、自身に設定されたＭＥＧレベルと同じＭＥＧレベルのＯＡＭフレーム１２を受信するとそれを終端させ、自身に設定されたＭＥＧレベルよりも高いＭＥＧレベルのＯＡＭフレームを受信した場合には透過させる（図２−２参照）。
【００２３】
一方、イーサネット（登録商標）ＯＡＭ機能による通信装置２Ｂの監視が不要となり、ＭＥＰの設定を解除する場合、管理装置１は、ＭＥＰ設定の解除を指示する情報（解除指示情報）を通信装置２Ａに出力するとともに通信装置２ＢのＭＥＰ設定を解除するように指示を出す。このとき、通信装置２Ｂに設定されているＭＥＧレベルも併せて通知する。管理装置１から指示を受けた通信装置２Ａでは、ＯＡＭフレーム生成部４が、解除指示情報を含み、通信装置２Ｂに設定されているＭＥＧレベルと同じＭＥＧレベルのＯＡＭフレーム１３を生成し、送信する（図２−３参照）。ＯＡＭフレーム１３を受信した通信装置２Ｂは、ＭＥＰが設定されている状態であるため、ＯＡＭフレーム１３を終端してその内容を確認し、解除指示情報が含まれている場合、自装置のＭＥＰ設定を解除し、イーサネット（登録商標）ＯＡＭの処理を終了する。
【００２４】
図３は、通信装置２Ｂが備えるＯＡＭフレーム終端部５の処理フローを示したフローチャートである。この図３に基づいて、ＯＡＭフレーム終端部５の動作を詳細に説明する。
【００２５】
ＯＡＭフレーム終端部５は、フレームを受信すると（ステップＳ１）、それがＯＡＭフレームであるかどうかを確認する（ステップＳ２）。確認の結果、ＯＡＭフレームではない場合（ステップＳ２，Ｎｏ）、イーサネット（登録商標）ＯＡＭ処理は不要であるため、フレームを透過させる（ステップＳ７）。一方、ＯＡＭフレームの場合（ステップＳ２，Ｙｅｓ）、自装置にＭＥＰを設定されているかどうかを確認する（ステップＳ３）。確認の結果、ＭＥＰを設定されていなければ（ステップＳ３，Ｙｅｓ）、さらに、受信したＯＡＭフレームのＭＥＧレベルが０（最低レベル）であるかどうかを判定する（ステップＳ４）。そして、ＭＥＧレベル＝０の場合（ステップＳ４，Ｙｅｓ）、受信したＯＡＭフレームを終端し、通信装置２Ｂは、その内容に応じた処理を実行する（ステップＳ５）。たとえば、ＭＥＰ設定情報が含まれていれば、設定されるＭＥＰのイーサネット（登録商標）ＯＡＭの処理を行うように、内部設定を変更する。一方、ＭＥＧレベルが０ではない場合（ステップＳ４，Ｎｏ）、他の装置宛のＯＡＭフレームであるため、透過させる（ステップＳ７）。
【００２６】
また、上記ステップＳ３でＭＥＰを設定されていると判断した場合（ステップＳ３，Ｎｏ）、自装置に設定されたＭＥＧレベルより高いＭＥＧレベルのＯＡＭフレームであるかどうかを確認し（ステップＳ６）、自装置に設定されたＭＥＰよりも高い場合（ステップＳ６，Ｙｅｓ）、他の装置宛のＯＡＭフレームであるため、透過させる（ステップＳ７）。一方、ＭＥＧレベルが同じ場合（ステップＳ６，Ｎｏ）、受信したＯＡＭフレームを終端し、通信装置２Ｂは、その内容に応じた処理を実行する（ステップＳ５）。たとえば、ＭＥＰ設定の解除を指示する解除指示情報が含まれていれば、内部設定を変更し、指示されたＭＥＰのイーサネット（登録商標）ＯＡＭの処理を終了する。
【００２７】
このように、本実施の形態では、管理装置と直接通信が不可能な遠隔の通信装置の設定を行う場合、管理装置と直接通信が可能な通信装置が、管理装置から設定情報（ＭＥＰ設定情報）を取得し、この設定情報を含み、かつＭＥＧレベル＝０に設定したＯＡＭフレームを生成して送信する。また、遠隔の通信装置は、ＭＥＰを設定されていない状態であっても、ＭＥＧレベル＝０に設定されたＯＡＭフレームを受信した場合にはそれを終端させ、当該受信フレームに含まれる情報に従い自装置の内部設定を変更することとした。これにより、ＯＡＭフレームを利用して、遠隔の通信装置にＭＥＰを設定することができる。また、ＯＡＭフレームを使用することにより制御処理を簡素化でき、また、運用性向上を実現できる。
【００２８】
実施の形態２．
つづいて、実施の形態２について説明する。なお、本実施の形態のネットワーク機器設定方法を適用する通信システムの構成は実施の形態１と同様である（図１参照）。実施形態１では、通信装置は、ＭＥＰを設定されていない場合、ＭＥＧレベル＝０のＯＡＭフレームを必ず終端することにしていたが、本実施の形態では、ＯＡＭフレームを終端する条件をさらに付与する。
【００２９】
すなわち、本実施の形態の通信装置２Ｂでは、図４に示すように、イーサネット（登録商標）ＯＡＭで定義されているＶＳＭ（Vendor  Specific  OAM  Message）フレームまたはＶＳＲ（Vendor  Specific  OAM  Reply）フレームのフォーマットを用い、このフレームフォーマットに含まれるＯＵＩ（Organizationally  Unique  Identifier）フィールドおよびＳｕｂＯｐＣｏｄｅフィールドの設定値があらかじめ決めておいた固有値（独自コード）と一致したＯＡＭフレームのみ終端し、それ以外のＯＡＭフレームは、たとえＭＥＧレベル＝０であっても透過させる。
【００３０】
ＭＥＰの設定、削除に関する動作は、実施の形態１で図２−１〜２−３を参照しながら説明したとおりであり、ＭＥＰ設定時に通信装置２Ａから２Ｂへ送信するＯＡＭフレーム１１の詳細が実施の形態１と異なる。
【００３１】
図５は、実施の形態２の通信装置２Ｂが備えるＯＡＭフレーム終端部５の処理フローを示したフローチャートであり、実施の形態１で説明した図３のステップＳ４をステップＳ８に変更したものである。
【００３２】
すなわち、図５のステップＳ８でフレームを識別する条件として、ＯＡＭフレームのＭＥＧレベルが０であるかだけでなく、受信フレームに含まれるＯｐＣｏｄｅフィールド、ＯＵＩフィールド、ＳｕｂＯｐＣｏｄｅフィールドをチェックし、これらが所望の値と一致するものだけを終端処理する。したがって、ＯＡＭフレームの送信側の通信装置２Ａでは、ＭＥＧレベルを０、ＯｐＣｏｄｅをＶＳＭに設定し、さらに、ＯＵＩとＳｕｂＯｐＣｏｄｅには予め規定しておいた固有値（独自コード）をそれぞれ設定したＯＡＭフレームを生成する。一方、通信装置２ＢのＯＡＭフレーム終端部５は、ＭＥＧレベルが０であり、ＯｐＣｏｄｅがＶＳＭ、かつＯＵＩおよびＳｕｂＯｐＣｏｄｅが予め規定しておいた独自コードの場合、フレームを終端する。
【００３３】
実施の形態１の通信システムでは、ＭＥＧレベル＝０のＭＥＰが他に存在する場合、当該他の装置宛のＭＥＧレベル＝０のＯＡＭフレームを通信装置２Ｂが終端してしまう可能性があった。これに対して、本実施形態の通信システムでは、ＭＥＰ設定用のＯＡＭフレームフォーマットを詳細に定義し、独自コードが設定されたＯＡＭフレーム以外のＯＡＭフレームはＭＥＧレベル＝０であっても透過させることにしたので、本来終端すべきでないＯＡＭフレームを終端してしまうのを防止できる。
【００３４】
また、実施形態１と同様に、ＭＥＰを設定・削除する際にも、ＯＡＭフレーム以外のイーサネット（登録商標）フレームを用いる必要がなく、通常のＯＡＭフレーム処理と共通化できるため、制御処理を簡素化でき、また、運用性向上を実現できる。
【００３５】
なお、上記説明では、ＯＵＩとＳｕｂＯｐＣｏｄｅの双方を利用して独自コードを設定するようにしたが、いずれか一方のみの利用としてもよい。
【００３６】
実施の形態３．
つづいて、実施の形態３について説明する。なお、本実施の形態のネットワーク機器設定方法を適用する通信システムの構成は実施の形態１と同様である（図１参照）。実施形態１および２では、ＭＥＰを削除する際には通信装置（ＭＥＰ）に設定されたＭＥＧレベルと同じＭＥＧレベルのＯＡＭフレームを用いることとしたが、本実施形態では、ＭＥＰの設定、削除ともにＭＥＧレベル＝０かつ特別なフィールド値を持つＯＡＭフレームを用いる場合の制御動作について説明する。
【００３７】
図６−１〜図６−３を参照しながら、本実施の形態の管理装置１が通信装置２Ａを介して、通信装置２Ａ以外の通信装置にＭＥＰを設定する動作，ＭＥＰを設定されている通信装置をＭＥＰを設定されていない状態に戻す（ＭＥＰ設定を解除する）動作について説明する。ここでは、一例として、通信装置２ＢにＭＥＰを設定する動作および通信装置２ＢのＭＥＰ設定を解除する動作について説明する。
【００３８】
ＭＥＰを設定されていない状態の通信装置２ＢにＭＥＰを設定する場合、実施の形態１と同様に、管理装置１は、ＭＥＧレベル情報を含んだＭＥＰ設定情報を通信装置２Ａに出力するとともに通信装置２ＢにＭＥＰを設定するように通信装置２Ａに指示を出す。
【００３９】
管理装置１からＭＥＰ設定情報および指示を受け取った通信装置２Ａでは、ＯＡＭフレーム生成部４が、受け取ったＭＥＰ設定情報を含み、かつＭＥＧレベルを最低レベル（ＭＥＧレベル＝０）に設定し、さらに、実施形態２で示した特別なフィールド値を持つＯＡＭフレーム１１、すなわち、管理装置１から受け取ったＭＥＰ設定情報を含み、ＭＥＧレベル＝０、ＯｐＣｏｄｅをＶＳＭに設定し、ＯＵＩとＳｕｂＯｐＣｏｄｅには予め規定しておいた独自コードをそれぞれ設定したＯＡＭフレーム１１を生成し、送信する（図６−１参照）。
【００４０】
通信装置２Ｂは、ＭＥＧレベル＝０、ＯｐＣｏｄｅがＶＳＭ、ＯＵＩとＳｕｂＯｐＣｏｄｅに独自コードが設定されたＯＡＭフレームを受信した場合、それを終端する。そして、受信したＯＡＭフレームに含まれている情報を確認し、ＭＥＰ設定情報が含まれていれば、それに基づいて内部設定を変更し、以降、設定されたＭＥＰのイーサネット（登録商標）ＯＡＭの処理を行う。
【００４１】
通信装置２Ｂは、ＭＥＰを設定されて動作している場合、自身に設定されたＭＥＧレベルと同じＭＥＧレベルのＯＡＭフレーム１２を受信するとそれを終端させ、自身に設定されたＭＥＧレベルよりも高いＭＥＧレベルのＯＡＭフレームは透過させる（図６−２参照）。なお、この動作は実施の形態１および２と同じである。
【００４２】
また、イーサネット（登録商標）ＯＡＭ機能による通信装置２Ｂの監視が不要となり、ＭＥＰの設定を解除する場合、管理装置１は、ＭＥＰ設定の解除を指示する情報（解除指示情報）を通信装置２Ａに出力するとともに通信装置２ＢのＭＥＰ設定を解除するように指示を出す。ただし、本実施の形態では、通信装置２Ｂに設定されているＭＥＧレベルを併せて通知する必要はない。管理装置１から指示を受けた通信装置２Ａでは、ＯＡＭフレーム生成部４が、解除指示情報を含み、ＭＥＧレベル＝０、ＯｐＣｏｄｅをＶＳＭに設定し、ＯＵＩとＳｕｂＯｐＣｏｄｅには独自コードをそれぞれ設定したＯＡＭフレーム１１を生成し、送信する（図６−３参照）。
【００４３】
通信装置２Ｂは、ＭＥＧレベル＝０、ＯｐＣｏｄｅがＶＳＭ、ＯＵＩとＳｕｂＯｐＣｏｄｅに予め規定しておいた独自コードが設定されたＯＡＭフレームを受信した場合、それを終端する。そして、受信したＯＡＭフレームに含まれている情報を確認し、ＭＥＰ設定の解除を指示する解除指示情報が含まれていれば、自装置のＭＥＰ設定を解除し、イーサネット（登録商標）ＯＡＭの処理を終了する。
【００４４】
図７は、実施の形態３の通信装置２Ｂが備えるＯＡＭフレーム終端部５の処理フローを示したフローチャートであり、実施の形態２で説明した図５のステップＳ３を実行する前にステップＳ８を実行するように、処理の順番を入れ替えたものである。ここでは、実施の形態２で説明した動作と異なる部分についてのみ説明を行う。
【００４５】
ステップＳ２を実行した結果、受信したフレームがＯＡＭフレームの場合（ステップＳ２，Ｙｅｓ）、終端すべきフレームかどうかを確認する（ステップＳ８）。具体的には、ＭＥＧレベルが０であり、ＯｐＣｏｄｅがＶＳＭ、かつＯＵＩおよびＳｕｂＯｐＣｏｄｅが規定された値（独自コード）であるかどうかを確認する。確認の結果、終端する必要があると判断した場合（ステップＳ８，Ｙｅｓ）、受信したＯＡＭフレームを終端し、通信装置２Ｂは、その内容に応じた処理を実行する（ステップＳ５）。たとえば、ＭＥＰ設定情報が含まれていれば、設定されたＭＥＰのイーサネット（登録商標）ＯＡＭの処理を行うように、内部設定を変更する。また、解除指示情報が含まれていれば、ＭＥＰ設定を解除し、イーサネット（登録商標）ＯＡＭの処理を終了する。
【００４６】
一方、受信したフレームを終端する必要がないと判断した場合（ステップＳ８，Ｎｏ）、自装置にＭＥＰを設定されているかどうかを確認する（ステップＳ３）。確認の結果、ＭＥＰを設定されていなければ（ステップＳ３，Ｙｅｓ）、受信したフレームを透過させる（ステップＳ７）。これに対して、ＭＥＰを設定されていれば（ステップＳ３，Ｎｏ）、ステップＳ６を実行し、受信したフレームを終端させるかどうかを判断する。
【００４７】
なお、特別なフィールド（ＯｐＣｏｄｅ，ＯＵＩ，ＳｕｂＯｐＣｏｄｅ）を使用したＭＥＧレベル＝０のＯＡＭフレームは、ＭＥＰの設定、削除だけではなく、遠隔にある通信装置２Ｂに対する警報状態や統計情報の通知、通信装置２Ｂに対する警報状態や統計情報の通知指示、などにも使用可能である。このときの処理フローも図７と同一となる。すなわち図７のステップＳ５でＯＡＭフレームの内容に応じた処理を行うことで、上述した状態や情報の通知、状態や情報の通知指示、が実現できる。
【００４８】
また、通信装置２ＢがＯＡＭフレーム生成部４をさらに備え、通信装置２ＡがＯＡＭフレーム終端部５をさらに備えた構成とすることで、ＶＳＭフレームを受信した通信装置２Ｂが、その応答としてＶＳＲフレームを通信装置２Ａに対して送信することが可能である。これにより、たとえば、通信装置２Ａから統計情報収集指示内容の含まれたＶＳＭフレームを通信装置２Ｂに対して送信し、通信装置２Ｂから統計情報が含まれたＶＳＲフレームを通信装置２Ａに対して送信するようにすれば、遠隔装置の統計情報を収集できる。
【００４９】
さらに、通信装置２Ａと通信装置２Ｂを物理的に（ケーブルや光ファイバを用いて）接続した後に、ＭＥＧレベル＝０のＶＳＭフレームを通信装置２Ａから送信し、ＶＳＭフレームを受信した通信装置２ＢからＶＳＲフレームを通信装置２Ａ宛に送信し、通信装置２ＡでＶＳＲフレームの受信を確認することで、物理（ＰＨＹ(Physical)）レベルだけではなく、フレーム（ＭＡＣ(Medium  Access  Control))レベルでの接続状態を確認することもできる。
【００５０】
このように、本実施の形態では、制御対象の通信装置（上記通信装置２Ｂに相当）がＭＥＰに設定されているかどうかに関係なく、その内部設定を変更するために使用するＯＡＭフレームのＭＥＧレベルを最低レベル（０）に設定しかつ特別なフィールド値を設定することとした。これにより、実施形態２と同様に、本来終端すべきでないＯＡＭフレームを終端してしまうのを防止できる。
【００５１】
また、特別なフィールド値が設定されたＭＥＧレベル＝０のＯＡＭフレームを必ず終端することとしたため、ＭＥＰの設定有無を判断する必要がなくなり、処理が簡素化できる。また、ＭＥＰの設定・削除を行う場合に加えて、警報通知や統計情報収集を行う際にも使用できる。
【００５２】
また、ＭＥＰを設定・削除する際に、必ずＯＡＭフレーム以外のイーサネット（登録商標）フレームを用いる必要がなく、通常のＯＡＭフレーム処理と共通化できるため、制御処理を簡素化でき、運用性向上を実現できる。
【産業上の利用可能性】
【００５３】
以上のように、本発明にかかるネットワーク機器設定方法は、イーサネット（登録商標）通信システムの保守運用管理に有用であり、特に、ＯＡＭフレームを使用してＭＥＰ設定／解除を行う場合に適している。
【図面の簡単な説明】
【００５４】
【図１】本発明にかかるネットワーク機器設定方法を適用する通信システムの実施の形態１の構成例を示す図である。
【図２−１】実施の形態１のネットワーク機器設定動作を示す図である。
【図２−２】実施の形態１のネットワーク機器設定動作を示す図である。
【図２−３】実施の形態１のネットワーク機器設定動作を示す図である。
【図３】実施の形態１のＯＡＭフレーム終端部の処理フローを示したフローチャートである。
【図４】イーサネット（登録商標）ＯＡＭフレームの構成図である。
【図５】実施の形態２のＯＡＭフレーム終端部の処理フローを示したフローチャートである。
【図６−１】実施の形態３のネットワーク機器設定動作を示す図である。
【図６−２】実施の形態３のネットワーク機器設定動作を示す図である。
【図６−３】実施の形態３のネットワーク機器設定動作を示す図である。
【図７】実施の形態３のＯＡＭフレーム終端部の処理フローを示したフローチャートである。
【図８】ＭＥとＭＥＰの設定例を示す図である。
【図９】イーサネット（登録商標）ＯＡＭフレームのＰＤＵの構成を示す図である。
【図１０】ＭＥＰに設定された装置がイーサネット（登録商標）ＯＡＭフレームを受信した場合の動作を示す図である。
【図１１】ＰＯＮシステムにおけるＯＡＭフレームの送信動作を示す図である。
【図１２】課題を説明するための図である。
【符号の説明】
【００５５】
１  管理装置
２Ａ、２Ｂ  通信装置
３  伝送路
４  ＯＡＭフレーム生成部
５  ＯＡＭフレーム終端部
１０、１１、１２、１３、１４  イーサネット（登録商標）ＯＡＭフレーム（ＯＡＭフレーム）
【図１】
0004624443.tif 000002
【図２−１】
0004624443.tif 000003
【図２−２】
0004624443.tif 000004
【図２−３】
0004624443.tif 000005
【図３】
0004624443.tif 000006
【図４】
0004624443.tif 000007
【図５】
0004624443.tif 000008
【図６−１】
0004624443.tif 000009
【図６−２】
0004624443.tif 000010
【図６−３】
0004624443.tif 000011
【図７】
0004624443.tif 000012
【図８】
0004624443.tif 000013
【図９】
0004624443.tif 000014
【図１０】
0004624443.tif 000015
【図１１】
0004624443.tif 000016
【図１２】
0004624443.tif 000017